(57)【特許請求の範囲】
【請求項１】
ユーザ装置が第１の装置から第１のメッセージを受信することと；
一次接続ノードから、少なくとも一つのネットワーク識別子の値を含む第２のメッセージを受信することと；
前記ユーザ装置が登録したネットワーク識別子の値を、前記一次接続ノードからの少なくとも一つのネットワーク識別子の値と比較することと；
前記ユーザ装置が登録したネットワーク識別子の値が前記一次接続ノードからのネットワーク識別子の値の何れかに等しいことに依存して、前記第１のメッセージに応答することと；
を含む、方法。
【請求項２】
前記第１の装置から前記少なくとも一つのネットワーク識別子の値を受信することと；
前記第１の装置からの前記少なくとも一つのネットワーク識別子の値を前記ユーザ装置が登録したネットワーク識別子の値と比較することと；
を更に含み、
前記第１のメッセージに応答することは、前記第１の装置からのネットワーク識別子の値の何れかが前記ユーザ装置が登録したネットワーク識別子の値と等しいことに依存する、請求項１に記載の方法。
【請求項３】
前記ユーザ装置が登録したネットワーク識別子を決定することを更に含む、請求項２に記載の方法。
【請求項４】
前記ユーザ装置が登録したネットワーク識別子の値は、登録済み地上波公共移動通信ネットワークの識別子の値を含む、請求項３に記載の方法。
【請求項５】
前記ユーザ装置が登録したネットワーク識別子の値が一次接続ノードのネットワーク識別子の全ての値と異なる場合に、前記ユーザ装置に対してトラッキングエリア更新を実行することと；
前記ユーザ装置が登録したネットワーク識別子の値を更新することと；
前記更新された、ユーザ装置登録済みネットワーク識別子の値を、前記第１の装置からの少なくとも一つのネットワーク識別子の値と比較することと；
前記更新された、ユーザ装置登録済みネットワーク識別子の値が前記第１の装置からの少なくとも一つのネットワーク識別子の値の一つと等しいことに依存して、前記第１のメッセージに応答することと；
を含む、請求項２から４の何れかに記載の方法。
【請求項６】
前記第１のメッセージは、マルチメディア・ブロードキャスト・マルチキャスト・サービスのカウント要求（MBMSCountingRequest）メッセージである、請求項１から５の何れかに記載の方法。
【請求項７】
前記第１のメッセージに応答することは、
マルチメディア・ブロードキャスト・マルチキャスト・サービスのカウント応答（MBMSCountingResponse）メッセージを生成することと；
前記マルチメディア・ブロードキャスト・マルチキャスト・サービスのカウント応答（MBMSCountingResponse）メッセージを接続ノードに送信することと；
を含む、請求項１から６の何れかに記載の方法。
【請求項８】
前記第１の装置は、前記ネットワーク識別子の値のネットワーク内の基地局，およびマルチメディア・ブロードキャスト・マルチキャスト・サービス制御チャネル（ＭＣＣＨ）をブロードキャストする進化型ノードＢ（ｅＮＢ）の少なくとも一つを備える、請求項１から７の何れかに記載の方法。
【請求項９】
前記一次接続ノードは、前記ユーザ装置が在圏する一次セル，および一次セルの進化型ノードＢの少なくとも一つを備える、請求項１から８の何れかに記載の方法。
【請求項１０】
前記第１の装置からの少なくとも一つの制御チャネルを監視することを更に含み、前記第１のメッセージは、前記少なくとも一つの制御チャネルで送受信される、請求項１から９の何れかに記載の方法。
【請求項１１】
前記ネットワーク識別子の値は、地上波公共移動通信ネットワークの識別子の値である、請求項１から１０の何れかに記載の方法。
【請求項１２】
前記ユーザ装置が登録したネットワーク識別子の値は、登録済み地上波公共移動通信ネットワークの識別子の値を含む、請求項１から１１の何れかに記載の方法。
【請求項１３】
前記少なくとも一つのネットワーク識別子の値は、システム情報のブロードキャストメッセージで受信される、請求項１から１２の何れかに記載の方法。
【請求項１４】
前記一次接続ノードは前記第１の装置である、請求項１から１３の何れかに記載の方法。
【請求項１５】
第２の装置から第１のメッセージを受信する手段と；
一次接続ノードから少なくとも一つのネットワーク識別子の値を含む第２のメッセージを受信する手段と；
装置が登録したネットワーク識別子の値を、前記一次接続ノードからの少なくとも一つのネットワーク識別子の値と比較する手段と；
前記装置が登録したネットワーク識別子の値が前記一次接続ノードからのネットワーク識別子の値の何れかに等しいことに依存して、前記第１のメッセージに応答する手段と；
を備える、装置。
【請求項１６】
前記第２の装置から前記少なくとも一つのネットワーク識別子の値を受信する手段と；
前記第２の装置からの前記少なくとも一つのネットワーク識別子の値を前記装置が登録したネットワーク識別子の値と比較する手段と；
を更に備え、
前記第１のメッセージに応答する手段は、前記第２の装置からのネットワーク識別子の値の何れかが前記装置が登録したネットワーク識別子の値と等しいことに依存する、請求項１５に記載の装置。
【請求項１７】
前記装置が登録したネットワーク識別子を決定する手段を更に備える、請求項１６に記載の装置。
【請求項１８】
前記装置が登録したネットワーク識別子の値は、登録済み地上波公共移動通信ネットワークの識別子の値を含む、請求項１７に記載の装置。
【請求項１９】
前記装置が登録したネットワーク識別子の値が一次接続ノードのネットワーク識別子の全ての値と異なる場合に、前記装置に対してトラッキングエリア更新を実行する手段と；
前記装置が登録したネットワーク識別子の値を更新する手段と；
前記更新された、装置登録済みネットワーク識別子の値を、前記第２の装置からの少なくとも一つのネットワーク識別子の値と比較する手段と；
前記更新された、装置登録済みネットワーク識別子の値が前記第２の装置からの少なくとも一つのネットワーク識別子の値の一つと等しいことに依存して、前記第１のメッセージに応答する手段と；
を更に備える、請求項１６から１８の何れかに記載の装置。
【請求項２０】
前記第１のメッセージは、マルチメディア・ブロードキャスト・マルチキャスト・サービスのカウント要求（MBMSCountingRequest）メッセージである、請求項１５から１９の何れかに記載の装置。
【請求項２１】
前記第１のメッセージに応答する手段は、
マルチメディア・ブロードキャスト・マルチキャスト・サービスのカウント応答（MBMSCountingResponse）メッセージを生成する手段と；
前記マルチメディア・ブロードキャスト・マルチキャスト・サービスのカウント応答（MBMSCountingResponse）メッセージを接続ノードに送信する手段と；
を備える、請求項１５から２０の何れかに記載の装置。
【請求項２２】
前記装置はユーザ装置である、請求項１５から２１の何れかに記載の装置。
【請求項２３】
前記第２の装置は、前記ネットワーク識別子の値のネットワーク内の基地局，およびマルチメディア・ブロードキャスト・マルチキャスト・サービス制御チャネル（ＭＣＣＨ）をブロードキャストする進化型ノードＢ（ｅＮＢ）の少なくとも一つを備える、請求項１５から２２の何れかに記載の装置。
【請求項２４】
前記一次接続ノードは、前記装置が在圏する一次セル，および一次セルの進化型ノードＢの少なくとも一つを備える、請求項１５から２３の何れかに記載の装置。
【請求項２５】
前記第２の装置からの少なくとも一つの制御チャネルを監視する手段を更に備え、前記第１のメッセージは、前記少なくとも一つの制御チャネルで送受信される、請求項１５から２４の何れかに記載の装置。
【請求項２６】
前記ネットワーク識別子の値は、地上波公共移動通信ネットワークの識別子の値である、請求項１５から２５の何れかに記載の装置。
【請求項２７】
前記装置が登録したネットワーク識別子の値は、登録済み地上波公共移動通信ネットワークの識別子の値を含む、請求項１５から２６の何れかに記載の装置。
【請求項２８】
前記少なくとも一つのネットワーク識別子の値は、システム情報のブロードキャストメッセージで受信される、請求項１５から２７の何れかに記載の装置。
【請求項２９】
前記一次接続ノードは前記第２の装置である、請求項１５から２８の何れかに記載の装置。
【請求項３０】
少なくとも一つのプロセッサと、コンピュータプログラムコードを含む少なくとも一つのメモリとを備える装置であって、前記コンピュータプログラムコードは、前記少なくとも一つのプロセッサに実行されると、前記装置に：
ユーザ装置が第２の装置から第１のメッセージを受信することと；
一次接続ノードから少なくとも一つのネットワーク識別子の値を含む第２のメッセージを受信することと；
装置が登録したネットワーク識別子の値を、前記一次接続ノードからの少なくとも一つのネットワーク識別子の値と比較することと；
前記装置が登録したネットワーク識別子の値が前記一次接続ノードからのネットワーク識別子の値の何れかに等しいことに依存して、前記第１のメッセージに応答することと；
を実行させるように構成される、装置。
【請求項３１】
前記第２の装置から前記少なくとも一つのネットワーク識別子の値を受信することと；
前記第２の装置からの前記少なくとも一つのネットワーク識別子の値を前記装置が登録したネットワーク識別子の値と比較することと；
を更に実行させられ、
前記第１のメッセージに応答することは、前記第２の装置からのネットワーク識別子の値の何れかが前記装置が登録したネットワーク識別子の値と等しいことに依存する、請求項３０に記載の装置。
【請求項３２】
前記装置が登録したネットワーク識別子を決定することを更に実行させられる、請求項３１に記載の装置。
【請求項３３】
前記装置が登録したネットワーク識別子の値は、登録済み地上波公共移動通信ネットワークの識別子の値を含む、請求項３２に記載の装置。
【請求項３４】
前記装置が登録したネットワーク識別子の値が一次接続ノードのネットワーク識別子の全ての値と異なる場合に、前記装置に対してトラッキングエリア更新を実行することと；
前記装置が登録したネットワーク識別子の値を更新することと；
前記更新された、装置登録済みネットワーク識別子の値を、前記第２の装置からの少なくとも一つのネットワーク識別子の値と比較することと；
前記更新された、装置登録済みネットワーク識別子の値が前記第２の装置からの少なくとも一つのネットワーク識別子の値の一つと等しいことに依存して、前記第１のメッセージに応答することと；
を更に実行させられる、請求項３１から３３の何れかに記載の装置。
【請求項３５】
前記第１のメッセージは、マルチメディア・ブロードキャスト・マルチキャスト・サービスのカウント要求（MBMSCountingRequest）メッセージである、請求項３０から３４の何れかに記載の装置。
【請求項３６】
前記第１のメッセージに応答することは、前記装置に、
マルチメディア・ブロードキャスト・マルチキャスト・サービスのカウント応答（MBMSCountingResponse）メッセージを生成することと；
前記マルチメディア・ブロードキャスト・マルチキャスト・サービスのカウント応答（MBMSCountingResponse）メッセージを接続ノードに送信することと；
を更に実行させる、請求項３０から３５の何れかに記載の装置。
【請求項３７】
前記装置はユーザ装置である、請求項３０から３６の何れかに記載の装置。
【請求項３８】
前記第２の装置は、前記ネットワーク識別子の値のネットワーク内の基地局，およびマルチメディア・ブロードキャスト・マルチキャスト・サービス制御チャネル（ＭＣＣＨ）をブロードキャストする進化型ノードＢ（ｅＮＢ）の少なくとも一つを備える、請求項３０から３７の何れかに記載の装置。
【請求項３９】
前記一次接続ノードは、前記装置が在圏する一次セル，および一次セルの進化型ノードＢの少なくとも一つを備える、請求項３０から３８の何れかに記載の装置。
【請求項４０】
前記第２の装置からの少なくとも一つの制御チャネルを監視することを更に実行させられ、前記第１のメッセージは、前記少なくとも一つの制御チャネルで送受信される、請求項３０から３９の何れかに記載の装置。
【請求項４１】
前記ネットワーク識別子の値は、地上波公共移動通信ネットワークの識別子の値である、請求項３０から４０の何れかに記載の装置。
【請求項４２】
前記装置が登録したネットワーク識別子の値は、登録済み地上波公共移動通信ネットワークの識別子の値を含む、請求項３０から４１の何れかに記載の装置。
【請求項４３】
前記少なくとも一つのネットワーク識別子の値は、システム情報のブロードキャストメッセージで受信される、請求項３０から４２の何れかに記載の装置。
【請求項４４】
前記一次接続ノードは前記第２の装置である、請求項３０から４３の何れかに記載の装置。
【請求項４５】
装置の処理手段により実行されると、前記装置に、請求項１から１４の何れかに記載の方法を遂行させるコンピュータ実行可能命令を含む、コンピュータプログラム。
【発明の詳細な説明】
【技術分野】
【０００１】
本発明は通信デバイスに関し、特に、ロングターム・エボリューション（long term evolution）通信システムにおけるマルチメディア・ブロードキャスト−マルチキャスト・サービス（multimedia broadcast-multicast service）管理のための装置に関する。ただし、これに限定されるものではない。
【発明の背景】
【０００２】
通信システムは、固定式また移動式通信デバイスや基地局，サーバやその他の通信ノード等の二つ以上のエンティティ間の通信セッションを可能にする設備として見ることができる。通信システムと互換性のある通信エンティティは通常、そのシステムに関連する種々のエンティティに対して許容される動作や許容方法を明示する所定の標準や規格に従って動作する。例えば、標準，規格および関連するプロトコルは、通信デバイスが通信システムに対して可能な接続方法や通信デバイス間の通信の様々な側面において成されるべき実装方法を規定できる。ここで、通信は有線または無線キャリアで行われる。無線通信システムでは、少なくとも二つの局間での通信の少なくとも一部は、無線リンクを介して行われる。
【０００３】
無線システムの例として、セルラーネットワーク等の地上波公共移動通信ネットワーク（PLMN）や衛星ベースの通信システム，無線ローカルエリアネットワーク（WLAN）等の別の無線ローカルネットワークが含まれる。無線システムはセルに分割されるため、セルシステムと呼ばれることも多い。セルは基地局から提供される。セル同士では形状やサイズが異なっていてもよい。セルは更にセクタに分割される。ユーザ装置への接続を提供するセルの形状・サイズに関係なく、そしてセルのセクタまたはセル自身のどちらかを介して接続されていても、そうしたエリアは無線サービスエリアまたは接続エリアと呼ばれる。隣接する無線サービスエリアは通常重なり合うため、特定のエリアでの通信は一つ以上の基地局をリスンできる。
【０００４】
ユーザは、適切な通信デバイスを用いて通信システムに接続できる。ユーザの通信デバイスは通常、ユーザ装置（UE）やユーザ端末と呼ばれる。通信デバイスは、他の装置と通信できる適切な信号送受信構成を備える。通信デバイスは通常、音声やデータ等の通信を送受信可能にするために使用される。無線システムにおいて通信デバイスは、接続ネットワークの基地局および／または別のユーザ装置等の他の通信デバイスと通信できる送受信局を提供する。通信デバイスは、基地局等の局が提供するキャリアに接続し、そのキャリアを介して通信を送受信できる。
【０００５】
増大する通信容量の要求に応えようとする通信システムの例として、第3世代パートナーシップ・プロジェクト（3GPP）によって標準化されているアーキテクチャがある。このシステムは通常、ユニバーサル移動電気通信システム（UMTS）無線接続技術のロングターム・エボリューション（LTE）と呼ばれる。LTEは、低遅延，高いユーザデータレート，システム容量・カバレッジの改善，運用コストの削減等の様々な改善項目の達成を目的としている。LTEを更に発展させたものは通常、LTE-Advancedと呼ばれている。3GPPのLTE標準の様々な開発ステージはリリースと呼ばれる。
【０００６】
LTEのある側面は、ユニバーサル移動電気通信システム（UMTS）用のマルチメディア・ブロードキャスト／マルチキャスト・サービス（MBMS）が提供されることである。MBMSでは、複数のエンドユーザ装置に通信する複数のポイントツーポイント接続の代わりに、マルチキャストやブロードキャストのメッセージ配信を使用する。
【０００７】
UMTSまたはLTEネットワークで動作するUEは、3GPPが規定する標準に従う手順によって通信サービスを取得できる。こうした標準は、これら両方のネットワークに対して無線システムのパラメータやデータ伝送手順，ネットワークプロトコル，無線インタフェースを通じて発生する制御メッセージおよびベアラトラフィックの交換を規定する。MBMSでは、これらのネットワーク内の複数のUEに対するサービスデータパケットの効率的伝送を可能にすることで、効率的なセッション管理を実施できる。この目的のために、コアネットワークノードから複数のノードB（NB）にメッセージが送信される。それに続いて各NBは、単方向ポイントツーマルチポイント（PtM）伝送をUEに送信し、アイドルまたはアクティブ状態のUEがネットワークサービスデータを受信できるようにする。
【０００８】
マルチキャリアの環境では、特定のセルがMBMSブロードキャスト／マルチキャスト用に無線リソースを効率的に利用できるように、MBMSブロードキャスト／マルチキャストが構成されてもよい。
【０００９】
ロングターム・エボリューション（LTE）リリース9（LTERel-9）標準は、如何なる形式の上りリンクフィードバックループも伴わない純粋なブロードキャスト・モード伝送を行う基本的なMBMS機能が備わっていた。しかし、マルチメディア・ブロードキャスト・マルチキャスト・サービス（MBMS）をサポートする制御エンティティがリソースを効率よく割当てられるように、通常、ブロードキャストを受信するユーザ装置に関する情報が収集される。
【００１０】
一般に、MBMSをサポートするユーザ装置に関する制御情報は、ユニキャスト制御情報とは可能な限り別々に分けられている。リリース10（LTERel-10）等の標準は、どのサービスがブロードキャストすべきかを決定する動作を支援するカウントの観点で、特定のフィードバックを有する。換言すれば、ユーザ装置は、このカウント要求に示されたこれらのサービスを受信しようとするか否かを示すことができる。
【００１１】
LTERel-10で規定されるカウント応答RRCメッセージは、その送り先に対してカウント要求の内容を参照する情報しか含まない。しかしマルチキャリアのシナリオでは、ユーザ装置が、カウント要求をブロードキャストしているセルとは異なるセルにカウント応答メッセージを送信する問題が起こりうる。これにより、この応答の参照先を正確に決定する上で問題が引き起こされる。最悪のシナリオでは、ネットワークはカウント応答を誤ったカウント手続に関連付け、誤った結果を生じさせる。
【００１２】
カウント要求をブロードキャストするセルとは無関係に、ユーザ装置が在圏セルにカウント応答を送信できることは一般に認められることであるが、通常、ネットワーク側の調整によって、所定の場所で二つのカウント手続が同時に実行されないようになっていると仮定される。
【００１３】
しかし、ユーザ装置は別の地上波公共移動通信ネットワーク（PLMN）、すなわち換言すれば、ユーザ装置が在圏するオペレータとは別のオペレータが運用するネットワークからカウント要求を受信しなくてはならない。そして、ユーザ装置はその要求に対して応答してはならない（何故ならば、二つの別々のネットワークが同時にカウント動作を行わないようにするためである）。所定の場所で二つのカウント手続が同時に実行されないようにするこうした例において、二つのネットワーク間での調整は通常、別々の地上波公共移動通信ネットワーク間で実行するのは困難である。
【００１４】
また、PLMN間のハンドオーバー直後、ハンドオーバーされたセルが、ユーザ装置が登録したPLMNの識別情報をブロードキャストしないというシナリオに関連する問題も生じる。こうした例では、ユーザ装置がMBMSを受信する特定の周波数のセルでブロードキャストされるカウント要求を受信または発見し、カウント要求手続に誤って応答する可能性がある。ユーザ装置の接続層は登録済み地上波公共移動通信ネットワーク（RPLMN）が前のセルで使用されたものと同一であると見做しているためである。
これと反対の場合でも同様の理由で、ハンドオーバー対象セルがブロードキャストしたPLMN識別情報によって実際に認証されたとしても、ユーザ装置は見つけたカウント要求に応答してはならない。
【００１５】
新規セルがRPLMNのPLMN識別情報をブロードキャストする場合、RPLMNは同一の状態を維持し、何も実行する必要がない。しかし、新規セルがRPLMN識別情報をブロードキャストしない場合、トラッキングエリア更新（TAU）が要求され、RPLMNの値が手続に沿って変更される。
【００１６】
このため、RPLMNが現在の在圏セルでまだ有効であるか否かを確認せずに、ユーザ装置の接続層がカウント要求に応答するか否かを決定するという問題が生じる。
【本願の説明】
【００１７】
本出願の実施形態は、前述の問題の一つ以上の解決を目的とする。
【００１８】
本出願の一形態に従って、次の方法が提供される：ユーザ装置が第１の装置から第1のメッセージを受信することと；一次接続ノードから少なくとも一つのネットワーク識別子の値を受信することと；前記ユーザ装置が登録したネットワーク識別子の値を、前記一次接続ノードからの少なくとも一つのネットワーク識別子の値と比較することと；前記ユーザ装置が登録したネットワーク識別子の値が一次接続ノードのネットワーク識別子の値の何れかに等しいことに依存して、前記第1のメッセージに応答することと；を含む、方法。
【００１９】
前記方法は更に、前記第1の装置から前記少なくとも一つのネットワーク識別子の値を受信することと；前記前記第1の装置からの前記少なくとも一つのネットワーク識別子の値を前記ユーザ装置が登録したネットワーク識別子の値と比較することと；を含み、前記前記第1のメッセージに応答することは、前記第1の装置からのネットワーク識別子の値の何れかが前記ユーザ装置が登録したネットワーク識別子の値と等しいことに依存してもよい。
【００２０】
前記方法は更に、前記ユーザ装置が登録したネットワーク識別子を決定することを含んでもよい。
【００２１】
前記ユーザ装置が登録したネットワーク識別子の値は、登録済み地上波公共移動通信ネットワークの識別子を含んでもよい。
【００２２】
前記方法は更に、前記ユーザ装置が登録したネットワーク識別子の値が一次接続ノードのネットワーク識別子の全ての値と異なる場合に、前記ユーザ装置に対してトラッキングエリア更新を実行することと；前記ユーザ装置が登録したネットワーク識別子の値を更新することと；前記更新された、ユーザ装置登録済みネットワーク識別子の値を、前記第1の装置からの少なくとも一つのネットワーク識別子の値と比較することと；前記更新された、ユーザ装置登録済みネットワーク識別子の値が前記第1の装置からの少なくとも一つのネットワーク識別子の値の一つと等しいことに依存して、前記第1のメッセージに応答することと；を含んでもよい。
【００２３】
前記第1のメッセージは、マルチメディア・ブロードキャスト・マルチキャスト・サービスのカウント要求（MBMSCountingRequest）メッセージでもよい。
【００２４】
前記第1のメッセージに応答することは、マルチメディア・ブロードキャスト・マルチキャスト・サービスのカウント要求（MBMSCountingRequest）メッセージを生成することと；前記マルチメディア・ブロードキャスト・マルチキャスト・サービスのカウント要求（MBMSCountingRequest）メッセージを接続ノードに送信することと；を含んでもよい。
【００２５】
前記第1の装置は、前記ネットワーク識別子の値のネットワーク内の基地局，およびマルチメディア・ブロードキャスト・マルチキャスト・サービス制御チャネル（MCCH）をブロードキャストする進化型ノードB（eNB）の少なくとも一つを備えてもよい。
【００２６】
前記一次接続ノードは、前記ユーザ装置が在圏する一次セル，および一次セルの進化型ノードBの少なくとも一つを備えてもよい。
【００２７】
前記方法は更に、前記第1の装置からの少なくとも一つの制御チャネルを監視することを含み、前記少なくとも一つの制御チャネルは前記第1のメッセージを含んでもよい。
【００２８】
前記ネットワーク識別子の値は、地上波公共移動通信ネットワークの識別子の値でもよい。
【００２９】
前記ユーザ装置が登録したネットワーク識別子の値は、登録済み地上波公共移動通信ネットワークの識別子の値を含んでもよい。
【００３０】
前記少なくとも一つのネットワーク識別子の値は、システム情報のブロードキャストメッセージで受信されてもよい。
【００３１】
前記一次接続ノードは前記第1の装置でもよい。
【００３２】
本出願の第2の形態に従って、次の装置が提供される：ユーザ装置が第2の装置から第1のメッセージを受信する手段と；一次接続ノードから少なくとも一つのネットワーク識別子の値を受信する手段と；前記装置が登録したネットワーク識別子の値を、前記一次接続ノードからの少なくとも一つのネットワーク識別子の値と比較する手段と；前記装置が登録したネットワーク識別子の値が一次接続ノードのネットワーク識別子の値の何れかに等しいことに依存して、前記第1のメッセージに応答する手段と；を備える、装置。
【００３３】
前記装置は更に、前記第2の装置から前記少なくとも一つのネットワーク識別子の値を受信する手段と；前記前記第2の装置からの前記少なくとも一つのネットワーク識別子の値を前記ユーザ装置が登録したネットワーク識別子の値と比較する手段と；を備え、前記前記第1のメッセージに応答する手段は、前記第2の装置からのネットワーク識別子の値の何れかが前記装置が登録したネットワーク識別子の値と等しいことに依存してもよい。
【００３４】
前記装置は更に、前記装置が登録したネットワーク識別子を決定する手段を更に備えてもよい。
【００３５】
前記装置が登録したネットワーク識別子の値は、登録済み地上波公共移動通信ネットワークの識別子を含んでもよい。
【００３６】
前記装置は更に、前記装置が登録したネットワーク識別子の値が一次接続ノードのネットワーク識別子の全ての値と異なる場合に、前記装置に対してトラッキングエリア更新を実行する手段と；前記装置が登録したネットワーク識別子の値を更新する手段と；前記更新された、装置登録済みネットワーク識別子の値を、前記第2の装置からの少なくとも一つのネットワーク識別子の値と比較する手段と；前記更新された、装置登録済みネットワーク識別子の値が前記第2の装置からの少なくとも一つのネットワーク識別子の値の一つと等しいことに依存して、前記第1のメッセージに応答する手段と；を備えてもよい。
【００３７】
前記第1のメッセージは、マルチメディア・ブロードキャスト・マルチキャスト・サービスのカウント要求（MBMSCountingRequest）メッセージでもよい。
【００３８】
前記第1のメッセージに応答する手段は、マルチメディア・ブロードキャスト・マルチキャスト・サービスのカウント要求（MBMSCountingRequest）メッセージを生成する手段と；前記マルチメディア・ブロードキャスト・マルチキャスト・サービスのカウント要求（MBMSCountingRequest）メッセージを接続ノードに送信する手段と；を備えてもよい。
【００３９】
前記装置はユーザ装置でもよい。
【００４０】
前記第2の装置は、前記ネットワーク識別子の値のネットワーク内の基地局，およびマルチメディア・ブロードキャスト・マルチキャスト・サービス制御チャネル（MCCH）をブロードキャストする進化型ノードB（eNB）の少なくとも一つを備えてもよい。
【００４１】
前記一次接続ノードは、前記装置が在圏する一次セル，および一次セルの進化型ノードBの少なくとも一つを備えてもよい。
【００４２】
前記装置は更に、前記第2の装置からの少なくとも一つの制御チャネルを監視する手段を備え、前記少なくとも一つの制御チャネルは前記第1のメッセージを含んでもよい。
【００４３】
前記ネットワーク識別子の値は、地上波公共移動通信ネットワークの識別子の値でもよい。
【００４４】
前記装置が登録したネットワーク識別子の値は、登録済み地上波公共移動通信ネットワークの識別子の値を含んでもよい。
【００４５】
前記少なくとも一つのネットワーク識別子の値は、システム情報のブロードキャストメッセージで受信されてもよい。
【００４６】
前記一次接続ノードは前記第2の装置でもよい。
【００４７】
本出願の第3の形態に従って、次の装置が提供される：少なくとも一つのプロセッサと、コンピュータプログラムコードを含む少なくとも一つのメモリとを備える装置であって、前記少なくとも一つのメモリおよび前記コンピュータプログラムコードは、前記少なくとも一つのプロセッサを用いて、前記装置に：ユーザ装置が第１の装置から第2のメッセージを受信することと；一次接続ノードから少なくとも一つのネットワーク識別子の値を受信することと；装置が登録したネットワーク識別子の値を、前記一次接続ノードからの少なくとも一つのネットワーク識別子の値と比較することと；前記装置が登録したネットワーク識別子の値が一次接続ノードのネットワーク識別子の値の何れかに等しいことに依存して、前記第1のメッセージに応答することと；を実行させるように構成される、装置。
【００４８】
前記装置は更に、前記第2の装置から前記少なくとも一つのネットワーク識別子の値を受信することと；前記前記第2の装置からの前記少なくとも一つのネットワーク識別子の値を前記ユーザ装置が登録したネットワーク識別子の値と比較することと；を実行させられ、前記前記第1のメッセージに応答することは、前記第2の装置からのネットワーク識別子の値の何れかが前記装置が登録したネットワーク識別子の値と等しいことに依存してもよい。
【００４９】
前記装置は更に、前記装置が登録したネットワーク識別子を決定することを実行させられてもよい。
【００５０】
前記装置が登録したネットワーク識別子の値は、登録済み地上波公共移動通信ネットワークの識別子を含んでもよい。
【００５１】
前記装置は更に、前記装置が登録したネットワーク識別子の値が一次接続ノードのネットワーク識別子の全ての値と異なる場合に、前記装置に対してトラッキングエリア更新を実行することと；前記装置が登録したネットワーク識別子の値を更新することと；前記更新された、装置登録済みネットワーク識別子の値を、前記第2の装置からの少なくとも一つのネットワーク識別子の値と比較することと；前記更新された、装置登録済みネットワーク識別子の値が前記第2の装置からの少なくとも一つのネットワーク識別子の値の一つと等しいことに依存して、前記第1のメッセージに応答することと；を実行させられてもよい。
【００５２】
前記第1のメッセージは、マルチメディア・ブロードキャスト・マルチキャスト・サービスのカウント要求（MBMSCountingRequest）メッセージでもよい。
【００５３】
前記第1のメッセージに応答することは、前記装置に更に、マルチメディア・ブロードキャスト・マルチキャスト・サービスのカウント要求（MBMSCountingRequest）メッセージを生成することと；前記マルチメディア・ブロードキャスト・マルチキャスト・サービスのカウント要求（MBMSCountingRequest）メッセージを接続ノードに送信することと；を実行させてもよい。
【００５４】
前記装置はユーザ装置でもよい。
【００５５】
前記第2の装置は、前記ネットワーク識別子の値のネットワーク内の基地局，およびマルチメディア・ブロードキャスト・マルチキャスト・サービス制御チャネル（MCCH）をブロードキャストする進化型ノードB（eNB）の少なくとも一つを備えてもよい。
【００５６】
前記一次接続ノードは、前記装置が在圏する一次セル，および一次セルの進化型ノードBの少なくとも一つを備えてもよい。
【００５７】
前記装置は更に、前記第2の装置からの少なくとも一つの制御チャネルを監視することを実行させられ、前記少なくとも一つの制御チャネルは前記第1のメッセージを含んでもよい。
【００５８】
前記ネットワーク識別子の値は、地上波公共移動通信ネットワークの識別子の値でもよい。
【００５９】
前記装置が登録したネットワーク識別子の値は、登録済み地上波公共移動通信ネットワークの識別子の値を含んでもよい。
【００６０】
前記少なくとも一つのネットワーク識別子の値は、システム情報のブロードキャストメッセージで受信されてもよい。
【００６１】
前記一次接続ノードは前記第2の装置でもよい。
【００６２】
一つ以上のプロセッサにより実行される、コンピュータ実行可能命令を含むコンピュータプログラムが、前述の方法を実行してもよい。
【００６３】
なお当然のことながら、種々の形態における任意の構成要素は、他のあらゆる形態の構成要素と組合せられてもよい。
【図面の簡単な説明】
【００６４】
以下の詳細な説明で種々の実施形態が説明される。これらは一例であって、以下の実施例および添付の図面を参照して説明される。
【００６５】
【図１】特定の実施形態に従うネットワークの概略図を示す。
【図２】特定の実施形態に従う移動通信デバイスの概略図を示す。
【図３】特定の実施形態に従う制御装置の概略図を示す。
【図４】特定の実施形態に従う移動通信デバイスの動作方法を示す。
【本願の実施形態の説明】
【００６６】
以下では、移動通信デバイスをサービスする無線または移動通信システムを参照して例示的実施形態を説明する。図1から3を参照して、本願に対する理解の助けとなるように、本願の実施形態が実装されうるシステムおよび装置が記述される。
【００６７】
通信デバイスまたはユーザ装置101，102，103には通常、接続システムの少なくとも一つの基地局、または同様の送受信ノードを介して無線接続が提供される。図1は、二つの隣接かつ重複する接続システムまたは無線在圏エリア100，110が、基地局105，106によって提供されていることを示す。以下の実施例では、二つの隣接かつ重複する接続エリアまたは無線在圏エリアは、二つの別々のオペレータによって運用され、二つの地上波公共移動通信ネットワーク（PLMN）の断片であると見做される。PLMNの各ネットワークは、その内で動作する通信デバイスまたはユーザ装置に対してそのネットワークを識別する別々の識別情報の値またはフラグと関連付けられていてもよい。
【００６８】
しかし通信システムには、二つの接続システムの代わりに他の接続システムが幾つあってもよい。接続システムは、通信デバイスが通信システムに接続できるようにするセルラーシステムまたは他のシステムのセルによって提供されてもよい。基地局105，106は一つ以上のセルを提供できる。基地局は複数のセクタを備えてもよく、例えば、三つの無線セクタを備え、各セクタがセルまたはセルのサブエリアを提供してもよい。セル内の全てのセクタは同一の基地局によってサービスされてもよい。セクタ内の無線接続は、そのセクタに属する単一の論理識別情報で識別される。こうして、無線局が一つ以上の無線サービスエリアを提供できる。各通信デバイス101，102，103および基地局105，106は、同時に一つ以上の無線チャネルを開放してもよく、複数のソース二対して信号を送受信してもよい。
【００６９】
基地局105，106は通常、少なくとも一つ適切な制御装置109，107で制御され、基地局の動作と基地局105，106，108と通信する移動通信デバイス101，102，103の管理を可能にする。制御装置107，109は他の制御エンティティと相互接続されてもよい。制御装置107，109は通常、メモリ機能301および少なくとも一つのデータプロセッサ302を備えてもよい。制御装置107，109とその機能は、複数の制御ユニット間に配置されてもよい。実施形態によっては、各基地局105，106が制御装置109，107を備えてもよい。別の実施形態では、二つ以上の基地局が一つの制御装置を共有してもよい。現行のLTEでは、別々の無線ネットワークコントローラを有しない。実施形態によっては、各基地局がそれぞれ制御装置を備えてもよい。
【００７０】
例示のため、図1ではセルの境界または端部が概略的に示されている。セルや他の無線サービスエリアの大きさと形状は、図1のような全方向に略同じ大きさの形状と比べてかなり変形したものであってもよいことに留意されたい。
【００７１】
図1では具体的に、第1セル100と第2セル110を示す。この実施例では、第1セル100は広域基地局セル105で、マクロeNBでもよい。マクロeNB105はセル100の全カバレッジに亘ってデータを送受信する。
【００７２】
この実施例の第2セル110は、更なるPLMNオペレータのマクロeNBとなりうる広域基地局セル106、またはホームeNB（HeNB，フェムトセル）やピコeNodeB（ピコeNB）等の狭域基地局といったあらゆる適切なネットワークノードである。
【００７３】
実施形態によっては、LTEネットワークノードは、（同一チャネル設置等の）同一の周波数キャリアを用いて設置される広域ネットワークノードと狭域ネットワークノードの組合せを備えてもよい。狭域基地局のカバレッジは通常、広域基地局のカバレッジよりも狭い。狭域ノード（ピコノードまたはフェムトノード）が提供するカバレッジは、マクロeNBが提供するカバレッジと重複してもよい。ピコeNBは、マクロeNBの本来のカバレッジの外側にマクロeNBのカバレッジを拡張するために使用されてもよい。ピコeNBは、現存セルではカバーされない「間隙（gap）」や「暗部（shadow）」をカバーするためにも使用されてよく、「ホットスポット（hot spot）」を提供してもよい。実施形態によっては、狭域ノードは家庭内といった比較的狭い領域内でのカバレッジを提供できるフェムトeNBまたはホームeNBでもよい。環境によっては、ピコセルとフェムトセルの両方を有してもよい。
【００７４】
前述のように、無線サービスエリアは重複していてもよい。こうして、エリア内を伝達する信号は、他のエリアでの通信をインタフェースできる。
【００７５】
通信デバイス101，102，103は、符号分割多元接続（CDMA）や広帯域CDMA（WCDMA）等の様々な接続技術に基づく通信システムに接続できる。他の例として、時分割多元接続（TDMA）や周波数分割多元接続（FDMA）、更にインターリーブ周波数分割多元接続（IFDMA），単キャリア周波数分割多元接続（SC-FDMA），直交周波数分割多元接続（OFDMA），空間分割多元接続（SDMA）等の様々な方式が含まれる。
【００７６】
通信システムにおいて最近開発された限定的でない例として、第3世代パートナーシップ・プロジェクト（3GPP）によって標準化されているユニバーサル移動電気通信システム（UMTS）のロングターム・エボリューション（LTE）がある。LTEを更に発展させたものはLTE-Advancedと呼ばれている。適切な接続ノードの非限定的実施例としてセルラーシステムの基地局があり、例えば3GPP規格の用語ではノードB（NB）と呼ばれる。LTEは、進化型ユニバーサル地上無線接続ネットワーク（E-UTRAN）と呼ばれる移動通信アーキテクチャを採用する。こうしたシステムの基地局は進化型ノードB（eNB）と呼ばれる。eNBは、ユーザプレーン（plane）の無線接続制御／メディア接続制御／物理層プロトコル（RLC／MAC／PHY）と、ユーザ装置に対する制御プレーンの無線リソース制御（RRC）プロトコル端末といったE-UTRANの機能を提供してもよい。無線接続システムの他の実施例には、無線ローカルエリアネットワーク（WLAN）および／またはWiMax（Worldwide Interoperability for Microwave Access）等の技術に基づくシステムの基地局が提供するものが含まれる。
【００７７】
図1では、接続システムの基地局105，106は広域通信ネットワーク113に接続できる。接続システムの動作を調整するために、制御装置107，109が備わっていてもよい。ネットワーク113を介して別のネットワークに接続するように、ゲートウェイ機能112が備わっていてもよい。実施形態によっては、基地局105，106はデータ送受信する通信リンクによって相互接続されていてもよい。通信リンクは、基地局105，106間でデータを送受信するのに適したあらゆる手段であってよく、実施形態によっては、この通信リンクはX2リンクでもよい。
【００７８】
他のネットワークは、適合するあらゆるネットワークであってよい。こうして広域通信システムは、一つ以上の相互接続ネットワークとその要素を備え、様々なネットワークを相互接続する一つ以上のゲートウェイが備わっていてもよい。
【００７９】
次に通信デバイスについて、図2を参照して詳述する。図2は、本願の実施形態を実装しうる通信デバイス101の概略的な部分側面図を示す。通信デバイスは通常、ユーザ装置（UE）やユーザ端末と呼ばれる。実施形態によっては、適切な通信デバイスは、無線信号を送受信可能なあらゆるデバイスを備えてもよい。実施形態によっては、通信デバイスは移動可能でもよい。通信デバイスの非限定的な実施例は移動局（MS）を含み、こうしたものとして、携帯電話や「スマートフォン」と呼ばれる多機能携帯電話，無線インタフェースカードや他の無線インタフェース機能を備えるポータブルコンピュータ，無線通信機能を備える個人情報端末（PDA）等を含む。また、これらの組合せであってもよい。通信デバイスは例えば、音声や電子メール（email），テキストメッセージ，マルチメディア等の通信を行うデータ通信を提供してもよい。こうしてユーザは、自身の通信デバイスを介して多数のサービス提供を受けられる。こうしたサービスの非限定的な実施例として、双方向または多方向通話やデータ通信，マルチメディアサービス等が含まれ、インターネット等のデータ通信ネットワークシステムへ容易に接続することもできる。またユーザにブロードキャストデータまたはマルチキャストデータが提供されてもよい。こうしたコンテンツの非限定的な実施例として、ダウンロードやテレビ・ラジオ番組，ビデオ，広告，種々の警報やその他の情報が含まれる。
【００８０】
通信デバイス101は、適切な無線信号受信機を介して無線インタフェース207から信号を受信し、適切な無線信号送信機を介して信号を送信してもよい。図2では、送受信機がブロック206で概略的に示されている。送受信機206は、例えば、無線手段と関連するアンテナ構成を備えていてもよい。アンテナ構成は、移動デバイスの内部または外部の何れに配置されてもよい。
【００８１】
移動デバイスは通常、少なくとも一つのデータ処理エンティティ201と少なくとも一つのメモリ202，他の可能な部品要素203を備える。これらはソフトウェアとハードウェアに支援されたタスクの実行時に使用され、接続システムと他の通信デバイスとの接続や通信の制御を含む動作を実行するように設計されている。データプロセッサと記憶装置，他の関連する制御装置は、適切な回路基板および／またはチップセットに実装されてもよい。こうした機能は参照番号204で示されている。
【００８２】
ユーザは、キーパッド205や音声命令，タッチセンサー式スクリーンまたはパッド，またはこれらの組合せといった適切なユーザインタフェース手段で移動デバイスの動作を制御してもよい。ディスプレイ208やスピーカ，マイクロフォンが備わっていてもよい。また、移動通信デバイスは、他のデバイスに（有線または無線で）接続したり、ハンズフリー（hands-free）装置等の外部周辺装置を接続したりする適切なコネクタを備えてもよい。
【００８３】
図3は、通信システムの制御装置109（または107）の実施例であって、接続システムの局に接続され、その制御も行うように構成されることを示す。実施形態によっては、基地局105，106の各々が図3で示すような個別の制御装置を備えてもよい。制御装置109は、システムの在圏エリアにある通信デバイスによる通信を制御するように構成されてもよい。制御装置109は、送信パターンや他の関連情報の生成および通信に関連する制御機能を提供するように構成されてもよい。以下で説明するように、特定の実施形態に従って、データ処理施設からの信号をミュートするように構成されてもよい。この目的のために、制御装置109は、少なくとも一つのメモリ301と少なくとも一つのデータ処理ユニット302，303、入出力インタフェース304を備える。このインタフェースを介して、制御装置は基地局の送信機および受信機に接続できる。制御装置109は、制御機能を提供する適切なソフトウェア命令を実行するように構成されてもよい。
【００８４】
次に幾つかの実施形態での動作および処理について、図4を参照して説明する。図4は、複数の実施形態に従う方法のフロー図を示す。
【００８５】
実施形態によっては、通信デバイス103が、無線インタフェースを介してE-UTRANからMBMSカウント要求メッセージ（「MBMSCountingRequest」）を受信するように構成されてもよい。カウント要求のブロードキャストを行うE-UTRANセルはまた、そのシステム情報の一部として少なくとも一つのPMLN識別情報をブロードキャストする。通信デバイス103のデータ処理エンティティ201は次に、カウント要求を処理してもよい。
【００８６】
E-UTRANセルからカウント要求メッセージを受信する動作は、図4のステップ301で示される。
【００８７】
実施形態によっては、データ処理エンティティ201は続いて、第1の確認を実行してもよい。この第1の確認は、カウント要求をブロードキャストするセルとユーザ装置の一次セルの両方が、移動デバイスまたはユーザ装置のための現在登録済みのPLMN（RPLMN）の値をシステム情報の一部としてブロードキャストしているか否かを決定または比較することである。
【００８８】
第1のPLMN確認を実行する動作は、図4のステップ303で示される。
【００８９】
実施形態によっては、この第1の確認が二つのサブ確認に分割されてもよい。こうした実施形態では、第1のサブ確認でデータ処理エンティティ201は、一次接続ノード（Pcell）ネットワークの識別子の値（PLMN値）の少なくとも一つが、ユーザ装置の登録済みネットワークの識別子の値（RPLMN値）と等しいかを決定する。換言すれば、ユーザ装置のための現在登録済みのネットワーク（RPLMN）の識別子の値が、一次セルから送信されるネットワークPLMN識別情報に含まれるかを決定することである。
【００９０】
第2のサブ確認でデータ処理エンティティ201は、カウント要求をブロードキャストするセルがシステム情報の一部としてブロードキャストするネットワーク識別情報の少なくとも一つが、ユーザ装置の登録済みネットワークの識別子の値（RPLMN値）と等しいかを決定する。第2のサブ確認を換言すれば、ユーザ装置のための現在登録済みのネットワーク（RPLMN）の識別子の値が、カウント要求をブロードキャストするセルがシステム情報の一部としてブロードキャストするネットワークPLMN識別情報に含まれるかを決定することである。
【００９１】
ユーザ装置の登録済みPLMNがカウント要求をブロードキャストするセルがシステム情報の一部としてブロードキャストするPLMN識別情報に含まれ、かつ、一次セルから送信されるネットワークPLMN識別情報に含まれる場合、（更なる要求確認をUEに通過させる）カウント応答動作の生成がUEに許可される。
【００９２】
ユーザ装置の登録済みPLMNの値がカウント要求をブロードキャストするセルがシステム情報の一部としてブロードキャストするPLMN識別情報に含まない、または、ユーザ装置の登録済みPLMNの値が一次セルから送信されるネットワークPLMN識別情報に含まない場合、データ処理エンティティ201は、第2のPLMN確認を追加で実行してもよい。この第2の確認は、移動デバイスまたはユーザ装置のための現在登録済みのPLMN（RPLMN）の値が、ユーザ装置の在圏する一次セル（Pcell）がシステム情報の一部としてブロードキャストしているPLMN識別情報に含まれるか否かを決定または比較することである。
【００９３】
この確認、すなわち、移動デバイスまたはユーザ装置のための現在登録済みのPLMN（RPLMN）の値が、ユーザ装置の在圏する一次セル（Pcell）がシステム情報の一部としてブロードキャストしているPLMN識別情報に含まれるか否かを確認するステップを実行する動作は、図4のステップ305で示される。
【００９４】
実施形態によっては、「第2の確認」が第1の確認や第1のサブ確認動作と同一でもよいことが理解されよう。それ故、実施形態によっては、第2の確認結果を決定するために、更なる比較を実行せずに第1のサブ確認の結果を利用してもよい。
【００９５】
ステップ305で、移動デバイスまたはユーザ装置のための現在登録済みのPLMN（RPLMN）の値が、ユーザ装置の在圏する一次セル（Pcell）がシステム情報の一部としてブロードキャストしているPLMN識別情報にのみ含まれる場合、UEにはカウント応答の生成が許可されない。その理由は、カウント要求をブロードキャストするセルのシステム情報には、PcellがブロードキャストしているRPLMN識別情報と同一のPLMN識別情報が存在しない、あるいは、PcellがブロードキャストしているPLMN識別情報に含まれるものが存在しないからである。
【００９６】
移動デバイスまたはユーザ装置のための現在登録済みのPLMN（RPLMN）の値が、ユーザ装置の在圏する一次セル（Pcell）がシステム情報の一部としてブロードキャストしているPLMN識別情報に含まれない場合、処理エンティティ201は、カウント応答メッセージ（「MBMSCountingResponse」）を生成してE-UTRANに送信するための追加条件が満たされるかを確認してもよい。
【００９７】
このため実施形態によっては、データエンティティは、トラッキングエリア更新（TAU）を実行し、トラッキングエリア更新に基づいて必要であれば、登録済みPLMNを変更するように構成されてもよい。
【００９８】
このトラッキングエリア更新／登録済みPLMN更新を実行する動作は、図4のステップ307で示される。
【００９９】
トラッキングエリア更新に更に続いて、データエンティティは更なる第3のPLMN確認を実行してもよい。この第3の確認は、移動デバイスまたはユーザ装置のための現在（あるいは、トラッキングエリア更新によって更新された可能性のある）登録済みのPLMN（RPLMN）の値が、カウント要求をブロードキャストするセルがシステム情報の一部としてブロードキャストするPLMN識別情報に含まれるかを決定することである。
【０１００】
この更なる第3のPLMN確認を実行する動作は、図4のステップ309で示される。
【０１０１】
移動デバイスまたはユーザ装置のための現在登録済みのPLMN（RPLMN）の値が、カウント要求をブロードキャストするセルがシステム情報の一部としてブロードキャストするPLMN識別情報に含まれない場合、データエンティティは、カウント応答の生成をUEに許可しないと決定する。
【０１０２】
ユーザ装置によるカウント応答の生成または送信を抑制または禁止する動作は、図4のステップ311で示される。
【０１０３】
移動デバイスまたはユーザ装置のための現在登録済みのPLMN（RPLMN）の値が、カウント要求をブロードキャストするセルがシステム情報の一部としてブロードキャストするPLMN識別情報に含まれる場合、データエンティティは、カウント応答の生成をUEに許可すると決定する。これにより、処理エンティティ201は、カウント応答メッセージ（「MBMSCountingResponse」）を生成してE-UTRANに送信するための追加条件が満たされるかを決定できる。
【０１０４】
ユーザ装置にカウント応答を生成または送信させる動作は、図4のステップ313で示される。
【０１０５】
実施形態によっては、トラッキングエリア更新を実行する動作によって、ユーザ装置に第3のPLMN確認を実行させる代わりに、カウント応答を送信させないように構成されることが理解されよう。
【０１０６】
こうした実施形態は例えば、リリース10のRRC規格TS36.331で以下の記載によって説明または実装されてもよい。
第5.8.4.3節  UEによるMBMSカウント要求（MBMSCountingRequest）の受信
RRC_CONNECTEDモードにあるUEは、MBMSCountingRequestの受信により以下を実行しなければならない。
1＞Pcellが、登録済みPLMNの識別情報をブロードキャストし（注記：UEは、TAU1の後、ここで記載するようなRPLMN変更を実行後、このステップに戻ってもよい）、
1＞MBMSCountingRequestメッセージをブロードキャストするセルが、登録済みPLMNの識別情報をブロードキャストし、
1＞UEが、受信したcountingRequestList中のサービスの一つ以上を、MRBを介して受信している、または、MRBを介して受信しようとしている場合：
2＞SystemlnformationBlockType 13で受信したmbsfn-ArealnfoListに複数のエントリが含まれる場合：
3＞mbsfn-ArealndexをMBMSCountingResponseメッセージに含め、受信済みMBMSCountingRequestメッセージを転送するのに使用されたMBSFNエリアに対応するものを、受信済みSystemlnformationBlockType 13内のmbsfn-ArealnfoListのエントリのインデックスに設定する；
2＞受信済みcountingRequestListに含まれるMBMSサービスの各々に対して：
3＞UEが、当該MBMSサービスを、MRBを介して受信している、または、MRBを介して受信しようとしている場合：
4＞countingResponseServiceを用いてMBMSCountingResponseメッセージ内のcountingResponseListにエントリを含め、UEが受信している、または受信しようとしているMBMSサービスに対応するものを、受信済みMBMSCountingRequest内のcountingRequestListのエントリのインデックスに設定する；
2＞MBMSCountingResponseメッセージを下位層に送り、手続終了時に送信する。
【０１０７】
本願のこうした実施形態では、セルが属さないPLMNでブロードキャストされるカウント要求メッセージに対して、ユーザ装置がカウント応答を生成し、それを該セルが受信するような状況が回避される。これとは逆に、カウント要求がブロードキャストされるPLMNに丁度入ったユーザ装置からは、そのカウント要求に対するカウント応答が受信される。
【０１０８】
またこうした実施形態では、現在のPcellがどのPLMNに属するかをユーザ装置が認識するまで、ハンドオーバー後にカウント応答メッセージをUEが送信しないようにできる。
【０１０９】
実施形態はLTEに関連して記述されているが、他のあらゆる通信システムやLTEに関する実施に開発中のシステムに対しても適用可能であることに留意されたい。したがって前述のように、無線ネットワークとその技術，標準に関する特定の例示的アーキテクチャを参照して、特定の実施形態が例として説明されてきたが、本願で記載および図示しない他のあらゆる適切な通信システムの形式に対しても、本実施形態を適用することが可能である。他の実施形態によっては、前述の実施形態が、LTE以外の移動通信システムに基づく直交周波数分割多元接続（OFDMA）の周波数分割複信（FDD）に適用されてもよい。
【０１１０】
基地局装置や通信デバイス，他のあらゆる適切な装置に要求されるデータ処理装置および機能は、一つ以上のデータプロセッサを用いて提供されてもよい。前述した各装置での機能は、個別のプロセッサや統合プロセッサのよって提供されてもよい。データプロセッサは、ローカルな技術環境に適したあらゆるタイプのものであってよく、非限定的な例として、一つ以上の汎用コンピュータ，特定用途向けコンピュータ，マイクロプロセッサ，デジタル信号プロセッサ（DSP），特定用途向け集積回路（ASIC），ゲートレベル回路，マルチコアプロセッサ・アーキテクチャに基づくプロセッサを含んでもよい。データ処理は、複数のデータ処理モジュールに分散されてもよい。データプロセッサは、少なくとも一つのチップ等で提供されてもよい。適切なメモリ機能が関連する装置に提供されてもよい。一つ以上のメモリは、ローカルな技術環境に適したあらゆるタイプのものであってよい。例えば、半導体ベースのメモリデバイス，磁気メモリデバイス・システム，光学式メモリデバイス・システム，固定式・移動式メモリ等の様々な適合するデータ格納技術を用いて実装されてもよい。
【０１１１】
一般に、様々な実施形態がハードウェアまたは特定用途向け回路、ソフトウェア、ロジック、またはそれらの組み合わせで実装されてもよい。本発明のある形態はハードウェアで実装されてもよく、他の形態は、コントローラやマイクロプロセッサ等のコンピュータデバイスによって実行されるファームウェアやソフトウェアで実装されてもよい。ただし、本発明はこれらに限定されるものではない。本発明の種々の形態はブロック図，フローチャート，または他の図的記述を使用して記述ないし図示される。これらのブロック，装置，システム，技術，またはここで記述される方法は、非限定的な例として、ハードウェア，ソフトウェア，ファームウェア，特定用途向け回路やロジック，汎用ハードウェア，コントローラや他のコンピュータデバイス，またはそれらの組み合わせで実装されてもよいと理解されるべきである。
【０１１２】
そして本発明の実施形態は、通信デバイスや基地局および／または制御エンティティ等にある制御装置のデータプロセッサによって実行可能なコンピュータソフトウェア，ハードウェア，またはソフトウェアとハードウェアの組合せによって実装されてもよい。
【０１１３】
またこの点に関して、添付する図面に示される論理フローの任意のブロックが、プログラムのステップや相互接続された論理回路・ブロック・機能，またはプログラムのステップ，論理回路・ブロック・機能の組合せを表現してもよいことに留意されたい。ソフトウェアは、メモリチップ等の物理メディアやプロセッサ内に実装されるメモリブロック，ハードディスクやフレキシブルディスク等の磁気メディア，DVDやそのデータ異形態であるCD等の光学式メディアに格納されてもよい。
【０１１４】
前述の説明は、非限定的な実施例を用いて、本発明の例示的実施形態を完全かつ詳細に記述している。しかし、こうした前述の説明を、添付する図面および特許請求の範囲と併せて考慮すれば、種々の修正および変更が可能であることは、本願に関連する技術分野の当業者には明らかであろう。さらに、本発明が教示するこうした事項の全ておよび類似する変形は、添付の特許請求の範囲で定義されるように、その全てが本発明の範囲内にある。
【０１１５】
実際に、前述した他のあらゆる実施形態の一つ以上の組合せを含む、追加の実施形態も存在する。
【図１】
0005894279.tif 000002
【図２】
0005894279.tif 000003
【図３】
0005894279.tif 000004
【図４】
0005894279.tif 000005